(57)【要約】      （修正有）【課題】オフィスで会議時等に利用され、持ち運び可能なボードにおいて、複数枚並列した際に、互いに隣接するボードの書き込み面を連続させて使用できるようにする。【解決手段】表面に書き込み面２１ａを有する略矩形状の面板２１の隅部に切欠き部２１ｂを設け、かつ当該面板２１の各辺の端縁部を表出させた状態で裏側に折り返してなるとともに前記書き込み面２１ａが周縁まで達しているボード本体２と、前記切欠き部２１ｂに装着してなるコーナー部材３とを具備するボードたるホワイトボード１の構成を採用する。【選択図】図１
2011025630.tif 000002
【特許請求の範囲】
【請求項１】
表面に書き込み面を有する略矩形状の面板の隅部に切欠き部を設け、かつ当該面板の各辺の端縁部を表出させた状態で裏側に折り返してなるとともに前記書き込み面が周縁まで達しているボード本体と、前記切欠き部に装着してなるコーナー部材とを具備することを特徴とするボード。
【請求項２】
前記面板の少なくとも一辺の折り返し端及びその近傍を前記書き込み面と反対側に膨出させて手掛け部を形成している請求項１記載のボード。
【請求項３】
前記ボード本体が、前記面板と、前記面板の書き込み面と反対側に配してなる裏板とを具備するとともに、前記裏板と前記面板の手掛け部との間の空間にスペーサを配している請求項２記載のボード。
【請求項４】
前記コーナー部材に上端部を取り付けてなり前記ボード本体を自立可能に支持する脚を具備する請求項１、２又は３記載のボード。
【請求項５】
前記ボード本体を自立可能に支持する際の位置である使用位置と脚がボード本体とほぼ平行な収納位置との間で回転可能に前記脚の上端部を前記コーナー部材に取り付けてなる請求項４記載のボード。
【請求項６】
面板の少なくとも対向する二辺の折り返し端を、交差する辺の端縁を折り返して形成した折り返し部の長手方向端縁よりも外側に設定している請求項１、２、３、４又は５記載のボード。
【請求項７】
前記面板を強磁性体により形成している請求項１、２、３、４、５又は６記載のボード。
【発明の詳細な説明】
【技術分野】
【０００１】
本発明は、書き込み面を有するボードに関する。
【背景技術】
【０００２】
従来、オフィス等で会議時等に利用される書き込み可能なボードとして、ホワイトボード等と称されるものがある。このようなボードの構成として、書き込み面を有するボード本体と、このボード本体の周縁部に装着してなる枠材とを具備するものが広く知られている（例えば、特許文献１を参照）。
【０００３】
この種のボードは、ボード本体が表面材、芯材、裏面材等からなる積層構造であり、このボード本体の周縁部を処理するため、及び強度を保つためにその周縁部に枠材が設けられている。
【０００４】
ところで、このようなボードを持ち運び可能なものである場合、このようなボードを複数枚並列して使用することが考えられる。その際、互いに隣接するボードの書き込み面を連続させて使用するという要望が存在する。しかし、上記特許文献１記載の構成のボードでは、複数枚並列した際に、互いに隣接するボード間の境界部分に前記枠材が配される。このような場合に、前記枠材により書き込み面が一旦途切れ、この枠材が邪魔に感じられることがある。
【先行技術文献】
【特許文献】
【０００５】
【特許文献１】特開２００３−７２２８８号公報
【発明の概要】
【発明が解決しようとする課題】
【０００６】
本発明はこのような課題を解決すること、すなわち、オフィスで会議時等に利用され、持ち運び可能なボードにおいて、複数枚並列した際に、互いに隣接するボードの書き込み面を連続させて使用できるようにすることを目的としている。
【課題を解決するための手段】
【０００７】
本発明は、以上のような課題を踏まえ、次のような手段を講じたものである。
【０００８】
すなわち、本発明に係るボードは、表面に書き込み面を有する略矩形状の面板の隅部に切欠き部を設け、かつ当該面板の各辺の端縁部を表出させた状態で裏側に折り返してなるとともに前記書き込み面が周縁まで達しているボード本体と、前記切欠き部に装着してなるコーナー部材とを具備することを特徴とする。
【０００９】
このようなものであれば、枠材を備えていなくてもボードとして必要な強度を保つことができ、コーナー部材を設けていない部分は面板の書き込み面がボード本体の周縁まで達しているので、このようなボードを複数枚隣接させて配置した際に、互いに隣接するボードの書き込み面を連続させることができる。
【００１０】
このようなボードを持ち運びやすくするための好適な態様の一例として、前記面板の少なくとも一辺の折り返し端及びその近傍を前記書き込み面と反対側に膨出させて手掛け部を形成しているものが挙げられる。このようなものであれば、前記手掛け部に手等を掛けて持ち運ぶことができるからである。
【００１１】
特に、前記ボード本体が、前記面板と、前記面板の書き込み面と反対側に配してなる裏板とを具備するとともに、前記裏板と前記面板の手掛け部との間の空間にスペーサを配しているものであれば、スペーサにより手掛け部の形状を保持させることができる。
【００１２】
このようなボードを自立可能にするための好適な態様の一例として、前記コーナー部材に上端部を取り付けてなり前記ボード本体を自立可能に支持する脚を具備するものが挙げられる。
【００１３】
特に、前記ボード本体を自立可能に支持する際の位置である使用位置と脚がボード本体とほぼ平行な収納位置との間で回転可能に前記脚の上端部を前記コーナー部材に取り付けてなるものであれば、使用位置において脚とボード本体との間に角度を設け、ボード本体の荷重を脚により支持させるようにしつつ、収納時には脚を収納位置に配して収納スペースの削減を図ることができる。
【００１４】
このようなボードにおいて、隅部の見栄えを整えるための態様として、面板の少なくとも対向する二辺の折り返し端を、交差する辺の端縁を折り返して形成した折り返し部の長手方向端縁よりも外側に設定しているものが挙げられる。このようなものであれば、互いに隣接する二辺の折り返し端が互いに接するようにする態様と比較して、交差する二辺の折り返し端が離間するので、製造誤差や経年変化による折り返し端近傍の位置のずれを目立たなくすることができるからである。
【００１５】
このようなボードの利用の便をさらに図ることができる態様の一例として、前記面板を強磁性体により形成しているものが挙げられる。このようなものであれば、前記面板の書き込み面にマグネットを吸着させることができ、さらに、面板の書き込み面がボード本体の周縁に達しているので、マグネットを端部に配置して書き込み面に書き込む際の邪魔にならないようにすることもできる。
【発明の効果】
【００１６】
本発明に係るボードの構成によれば、次のような効果を得ることができる。すなわち、コーナー部材を設けていない部分は面板の書き込み面がボード本体の周縁まで達しているので、このようなボードを複数枚隣接させて配置した際に、互いに隣接するボードの書き込み面を連続させることができる。
【図面の簡単な説明】
【００１７】
【図１】本発明の一実施形態に係るボードを示す全体斜視図。
【図２】同実施形態に係るボードを示す背面斜視図。
【図３】同実施形態に係るボードを示す正面図。
【図４】同実施形態に係るボードを示す背面図。
【図５】同実施形態に係るボードを示す側面図。
【図６】同実施形態に係るボードの要部を示す中央側断面図。
【図７】同実施形態に係るボードを示す分解斜視図。
【図８】同実施形態に係るボードの脚ストッパの要部の横断面を示す概略図。
【図９】同実施形態に係るボードの面板の形成過程を示す展開図。
【図１０】本発明の他の実施形態に係るボードを示す全体斜視図。
【発明を実施するための形態】
【００１８】
以下、本発明の一実施形態について述べる。
【００１９】
本実施形態に係るボードは、オフィス等で会議時等に利用されるホワイトボード１である。このホワイトボード１は、図１〜図６に示すように、表面に書き込み面２１ａを有する面板２１を備えたボード本体２と、このボード本体２の隅部に装着してなるコーナー部材３と、このコーナー部材３に上端部を回転移動可能に取り付けてなる脚４と、この脚４の回転移動の範囲を規制するための脚ストッパ５とを具備する。
【００２０】
前記ボード本体２は、前記図６に示すように、前記面板２１と、この面板２１の前記書き込み面２１ａと反対側に配してなる裏板２２と、これら面板２１及び裏板２２の間に配してなる芯材２３とを有する。
【００２１】
前記面板２１は、前記図１〜図６に示すように、略矩形状をなし、上述したように表面に書き込み面２１ａを有する。また、この面板２１は、各辺の端縁部を表出させた状態で裏側に折り返して第１及び第２の折り返し部２１１を設けることにより形成している。そして、前記書き込み面２１ａが、ボード本体２の周縁まで達している。さらに詳述すると、この面板２１は、上下両端縁部を裏側に折り返してなる前記第１の折り返し部２１１ａと、左右両端縁部を裏側に折り返してなる前記第２の折り返し部２１１ｂとを有する。また、この面板２１は、各辺の端縁部を裏側に折り返した状態で切欠き部２１ｂを四隅に有する。さらに、前記第２の折り返し部２１１ｂの折り返し端は、前記第１の折り返し部２１１ａの長手方向端縁より外側に設定している。具体的には、前記第１の折り返し部２１１ａの折り返し端は、前記切欠き部２１ｂの基端と略一致させている。一方、前記第２の折り返し部２１１ｂの折り返し端は、前記切欠き部２１ｂの基端よりもボード本体２の周縁寄りに設定している。そして本実施形態では、前記第１及び第２の折り返し部２１１ａ、２１１ｂの折り返し端及びその近傍を前記書き込み面２１ａと反対側に膨出させ、手掛け部２１１ｘを設けている。なお、前記手掛け部２１１ｘの先端部すなわち面板２１の折り返し端は、さらに内側に折り返している。また、この手掛け部２１１ｘと前記裏板２２との空間には、手掛け部２１１ｘの形状を保持させるべくスペーサ２４を設けている。このスペーサ２４は、樹脂製の部材であり、前記面板２１の端縁部を収納する面板収納部２４ａと、この面板収納部２４ａに隣接して設けられ前記面板２１の折り返し端を被覆する把持面部２４ｂとを備えている。さらに、前記面板２１は、本実施形態では鉄等の強磁性体により形成している金属板である。
【００２２】
前記裏板２２は、前記図２、図４、及び図６に示すように、前記面板２１の書き込み面２１ａと反対側に配している矩形板状の部材である。また、この裏板２２の上下左右の各端縁は、背面視前記第１及び第２の折り返し部２１１ａ、２１１ｂと重なり合うようにしている。
【００２３】
前記芯材２３は、上述したように、また、前記図６に示すように、前記面板２１と前記裏板２２との間に配してなる。この芯材２３は、前記面板２１の書き込み面２１ａと折り返し部２１１ａ、２１１ｂとの間に配してなる図示しない端部用芯材と、前記面板２１の書き込み面２１ａと前記裏板２２との間に配してなる中央部用芯材とからなる。前記中央部用芯材は、ハニカム構造を有する厚紙により構成した芯材本体２３１と、この芯材本体２３１の裏面に貼付した不透紙２３２とにより構成している。また、前記端部用芯材は、ハニカム構造を有する厚紙により構成している。
【００２４】
前記コーナー部材３は、前記図１〜図５、及び図７に示すように、前記面板２１の切欠き部２１ｂに配してなる。より具体的には、このコーナー部材３は、前記ボード本体２に装着した状態で前記書き込み面２１ａと略面一な面を有するとともに、前記面板２１の書き込み面２１ａ側と前記裏板２２又は前記面板２１の第１、第２の折り返し部２１１ａ、２１１ｂとの間の空間に挿入してなる挿入部３１を有する。また、このコーナー部材３は、前記書き込み面２１ａと反対側に突出する突起３２も有する。さらに本実施形態では、上辺に配するコーナー部材３には、前記脚４を挿通させるための脚挿通孔３ａを設けている。一方、下辺に配するコーナー部材３には、前記脚４の下端部すなわち自由端側を保持するための保持部３３を設けている。この保持部３３は、本実施形態では、弾性変形可能で外方に突出するＬ字状の爪である。なお、本実施形態では、前記突起３２の表面は、このコーナー部材３を前記ボード本体２に装着した状態で前記手掛け部２１１ｘの表面と略面一にしている。
【００２５】
前記脚４は、前記図１、図２、図４、及び図５に示すように、左右方向に延伸する接地部４１と、この接地部４１の左右両端からそれぞれ起立する左右１対の脚支柱４２と、この脚支柱４２の上端から相寄る方向に延伸し前記コーナー部材３の脚挿通孔３ａに挿通させてなる取付部４３とを有する。ここで、前記取付部４３の端部は、前記コーナー部材３を越えて内方に突出させているとともに、前記図７、及び図８に示すように、かしめ加工により突起４３ａを設けている。
【００２６】
前記脚ストッパ５は、前記図７に示すように、前記コーナー部材３に隣接する部位に設けられる。また、この脚ストッパ５は、前記図７、及び図８に示すように、下方に開口する脚挿通孔５ａと、前記脚４の突起に当接して脚４の回転移動の範囲を規制する突き当て面４ｂとを有する。すなわち、前記脚４は、前記図５及び図８に示すように、前記ボード本体２を自立可能に支持する際の位置である使用位置Ｕと、この脚４がボード本体２とほぼ平行な収納位置Ｓとの間でのみ回転可能である。
【００２７】
ここで、このホワイトボード１は、以下のようにして形成するようにしている。まず、図９の（ａ）に示す面板２１の各辺の端部を折り返し、次いで、手掛け部２１１ｘとなるべき部位を膨出させる。それから、前記第１の折り返し部２１１ａとなるべき部位に図示しない折り返し加工用のバックアップ部材を配置して折曲げ加工を行う。その後、前記バックアップ部材を中央寄りに移動させて抜き取り、前記第１の折り返し部２１１ａを形成し、同図の（ｂ）に示す状態にする。次いで、前記第２の折り返し部２１１ｂとなるべき部位に図示しない折り返し加工用のバックアップ部材を配置して折曲げ加工を行う。その後、前記第２の折り返し部２１１ｂと前記第１の折り返し部２１１ａの長手方向端縁との間に前記バックアップ部材を移動させて抜き取り、前記第２の折り返し部２１１ｂを形成する。それから、面板２１の第１及び第２の折り返し部２１１ａ、２１１ｂと書き込み面２１ａ側との間に図示しない端部用芯材を挿入する。また、前記折り返し部２１１ａ、２１１ｂの折り返し端側には前記スペーサ２４を取り付ける。その後、中央部に前記芯材２３を挿入し、裏板２２をこの芯材２３に貼り合わせ、前記面板２１の内面と前記折り返し部２１１ａ、２１１ｂの内面との間に前記裏板２２及び芯材２３を挟み込ませた状態にして前記ボード本体２を完成させる。さらに、ボード本体２の下辺側の切欠き部２１ｂにコーナー部材３を挿入する。それから、上辺側のコーナー部材３に脚４の取付部４３を挿通させ、脚４の取付部４３にかしめ加工により前記突起４３ａを形成する。そして、前記脚４の突起４３ａと前記コーナー部材３との間に脚ストッパ５を取り付け、ボード本体２の上辺側の切り欠き２１ｂにコーナー部材３を挿入する。
【００２８】
また、このホワイトボード１を自立させて使用する際には、前記脚４を、突起４３ａが脚ストッパ５の突き当て面５ｂに衝き当たるまで回転運動させる。すると、脚４のそれ以上の回転が規制されて脚４及びボード本体２が互いに位置決めされ、脚４によりボード本体２が自立可能に支持される。一方、このホワイトボード１を収納する際には、前記脚４を、突起が脚ストッパ５の突き当て面５ｂから離間する方向に回転運動させ、脚４の自由端側をコーナー部材３の保持部３３に保持させる。すると、脚４の接地部４１がボード本体２の裏面に衝き当てた状態でホワイトボード１全体としての厚さ寸法が最小とすることができるので、収納に必要なスペースを小さくできる。
【００２９】
以上に述べたように、本実施形態に係るホワイトボード１は、表面に書き込み面２１ａを有する略矩形状の面板２１の各辺の端縁部を表出させた状態で裏側に折り返してなるとともに前記書き込み面２１ａが周縁まで達しているボード本体２と、このボード本体２の隅部に装着してなるコーナー部材３とを具備する。従って、コーナー部材３を設けていない部分は面板２１の書き込み面２１ａがボード本体２の周縁まで達しているので、このようなホワイトボード１を複数枚隣接させて配置した際に、互いに隣接するホワイトボード１の書き込み面２１ａを連続させることができる。
【００３０】
また、前記面板２１の少なくとも一辺の折り返し端及びその近傍を前記書き込み面２１ａと反対側に膨出させて手掛け部２１１ｘを形成しているので、前記手掛け部２１１ｘに手等を掛けて持ち運ぶことができる。従って、持ち運びの便を図ることができる。
【００３１】
特に、前記ボード本体２が、前記面板２１と、前記面板２１の書き込み面２１ａと反対側に配してなる裏板２２とを具備するとともに、前記裏板２２と前記面板２１の手掛け部２１１ｘとの間の空間にスペーサ２４を配しているので、スペーサ２４により手掛け部２１１ｘの形状を保持させることができる。さらに、このスペーサ２４が、前記面板２１の折り返し端を被覆する把持面部２４ｂを備えているので、このボード本体２を持ち運ぶ際の使用者の手指の保護を図ることもできる。
【００３２】
さらに、前記コーナー部材３に上端部を取り付けてなり前記ボード本体２を自立可能に支持する脚４をも具備するので、他に特別な部材を用いることなくこのようなホワイトボード１を自立させて使用することができる。
【００３３】
特に、前記ボード本体２を自立可能に支持する際の位置である使用位置と脚４がボード本体２とほぼ平行な収納位置との間で回転可能に前記脚４の上端部を前記コーナー部材３に取り付けているので、上述したように、使用位置において脚４とボード本体２との間に角度を設け、ボード本体２の荷重を脚４により支持させるようにしつつ、収納時には脚４を収納位置に配して収納スペースの削減を図ることができる。
【００３４】
さらに、面板２１の少なくとも対向する二辺の折り返し端を、交差する辺の端縁を折り返して形成した折り返し部２１１の長手方向端縁よりも外側に設定しているので、互いに隣接する二辺の折り返し端が互いに接するようにする態様と比較して、交差する二辺の折り返し端が離間するので、製造誤差や経年変化による折り返し端近傍の位置のずれを目立たなくすることができる。すなわち、このようなホワイトボード１の隅部の見栄えを整えることができる。
【００３５】
そして、前記面板２１を強磁性体により形成しているので、前記面板２１の書き込み面２１ａにマグネットを吸着させることができ、さらに、面板２１の書き込み面２１ａがボード本体２の周縁に達しているので、マグネットを端部に配置して書き込み面２１ａに書き込む際の邪魔にならないようにすることもできる。
【００３６】
なお、本発明は以上に述べた実施形態に限られない。
【００３７】
例えば、脚は省略してもよい。すなわち、図１０に示すホワイトボード１０のように、ボード本体２の四隅部に全て同一の構造を有するコーナー部材３を装着する構成を採用してもよい。この場合、このホワイトボード１０を自立可能に支持させるために、別体のボード支持部材９に立て掛けるようにするとよい。
【００３８】
また、ボード本体の上下両辺の左右両端に切欠き部を設ける代わりに、例えば前記図１０に示すホワイトボード１０のように、ボード本体２の左右両辺の上下両端に切欠き部２ｂを設けるようにしてもよい。
【００３９】
さらに、上述した実施形態における手掛け部に替えて、例えば、把手を別途取り付ける等の方法で持ち運びの便を図るようにしてもよい。
【００４０】
一方、本発明に係るボードは、上述した実施形態に示したように左右に隣接させて配置するだけでなく、上下に隣接させて配置するようにしてもよい。ここで、本発明に係るボードを上下に隣接させて配置する場合、磁性体を利用してスチールにより形成した壁面に取り付けるようにしてもよい。
【００４１】
加えて、上述したような実施形態における裏板にも書き込み面を有する構成を採用してもよい。
【００４２】
そして、ホワイトボードに限らず、黒板等、書き込み面を有する他の種類のボードに本発明と適用してもよく、面板を強磁性体でない金属や樹脂等により形成してもよい。
【００４３】
その他、本発明の趣旨を損ねない範囲で種々に変更してよい。
【符号の説明】
【００４４】
１…ホワイトボード（ボード）
２…ボード本体
２１…面板
２１ａ…書き込み面
２１１ｘ…手掛け部
２２…裏板
２４…スペーサ
３…コーナー部材
４…脚
【図１】
2011025630.tif 000003
【図２】
2011025630.tif 000004
【図３】
2011025630.tif 000005
【図４】
2011025630.tif 000006
【図５】
2011025630.tif 000007
【図６】
2011025630.tif 000008
【図７】
2011025630.tif 000009
【図８】
2011025630.tif 000010
【図９】
2011025630.tif 000011
【図１０】
2011025630.tif 000012